(57)【特許請求の範囲】
【請求項１】
未記録領域と記録済領域とが離散的に存在可能で、上記未記録領域および記録済領域を管理する管理情報が記録されたディスク状記録媒体にデータを記録する記録再生装置において、
上記ディスク状記録媒体に記録された管理情報を再生する再生手段と、
上記再生手段にて再生された管理情報を記憶する記憶手段と、
上記記憶手段に記憶された管理情報から、未記録領域を管理する複数の未記録領域管理情報を書き換えるリンク情報管理手段と、
記録済み領域の終端部の検索指示が入力操作される終端検索指示操作手段と、
記録指示を行う記録指示操作手段と、
再生指示を行う再生指示操作手段と、
上記終端検索指示操作手段が操作された場合であって、上記記憶手段に記憶された未記録領域管理情報に基づいて上記ディスク状記録媒体の複数の未記録領域の中に上記ディスク状記録媒体の最外周に位置する未記録領域があると判断されるときには上記ディスク状記録媒体の最外周に位置する未記録領域の開始部近傍に記録ヘッドを移送し、上記記録終端検索指示操作手段が操作された後に上記再生指示操作手段が操作された場合には、上記記憶手段に記憶されている管理情報に基づいて直前に記録されたトラック終端に再生ヘッドを移送する制御手段と
を備える記録再生装置。
【請求項２】
上記制御手段は、上記直前に記録されたトラックの終端に上記再生ヘッドを移送した後、上記再生ヘッドによる再生を一時停止するように制御することを特徴とする請求項１に記載の記録再生装置。
【請求項３】
上記記録再生装置は、
レビューサーチ操作手段を更に備え、
上記直前に記録されたトラックの終端で上記再生ヘッドによる再生を一時停止した後に、上記レビューサーチ操作手段の操作がされた場合に上記制御手段は、上記直前に記録されたトラックの終端から前方に高速再生を行うことを特徴とする請求項２に記載の記録再生装置。
【請求項４】
未記録領域と記録済領域とが離散的に存在可能で、上記未記録領域および記録済領域を管理する管理情報が記録されたディスク状記録媒体にデータを記録する記録再生方法において、
上記ディスク状記録媒体に記録された管理情報を再生するステップと、
上記再生された管理情報を記憶手段に記憶するステップと、
上記記憶手段に記憶された管理情報から、未記録領域を管理する複数の未記録領域管理情報を書き換えるステップと、
記録済み領域の終端部の検索を指示する終端検索指示が検出された場合であって、上記記憶手段に記憶された未記録領域管理情報に基づいて上記ディスク状記録媒体の複数の未記録領域の中に上記ディスク状記録媒体の最外周に位置する未記録領域があると判断されるときには、上記ディスク状記録媒体の最外周に位置する未記録領域の開始部近傍に記録ヘッドを移送するステップと、
記録済み領域の終端部の検索を指示する終端検索指示が検出された後に、さらに記録指示が検出された場合には、上記管理情報に基づいて直前に記録されたトラックの終端に再生ヘッドを移送するステップと
を備えることを特徴とする記録再生方法。
【請求項５】
上記直前に記録されたトラックの終端に上記再生ヘッドを移送した後、上記再生ヘッドによる再生を一時停止することを特徴とする請求項４に記載の記録再生方法。
【請求項６】
上記直前に記録されたトラックの終端で上記再生ヘッドによる再生を一時停止した後に、レビューサーチ指示操作が行われた場合には、上記直前に記録されたトラックの終端から前方に高速再生を行うことを特徴とする請求項５に記載の記録再生方法。
【発明の詳細な説明】
【０００１】
【産業上の利用分野】
本発明は未記録領域と記録済領域が離散的に存在可能で、未記録領域及び記録済領域を管理する管理情報が記録されている記録媒体に対して、例えば音声データ等の記録又は再生を行なうことができる記録再生装置、及び記録再生方法に関するものである。
【０００２】
【従来の技術】
ユーザーが音楽データ等を記録することのできるデータ書き換え可能なディスクメディアが知られており、このようなディスクメディアでは、既に楽曲等のデータが記録されているエリアや未記録領域を管理するデータ領域（ユーザーＴＯＣ，以下Ｕ−ＴＯＣという）が設けられ、例えば記録、編集、消去等の動作の終了毎にこの管理データも書き換えられるようになされている。
【０００３】
そして、例えば或る楽曲の録音を行なおうとする際には、録音装置はＵ−ＴＯＣからディスク上の未記録領域を探し出し、ここに音声データを記録していくようになされている。また、再生装置においては再生すべき楽曲（トラック）が記録されているエリアをＵ−ＴＯＣから判別し、そのエリアにアクセスして再生動作を行なう。
【０００４】
【発明が解決しようとする課題】
ところで、このようなディスクに対する記録装置としては、新たに楽曲等を録音していく際に、その時点で未記録領域となっているエリアを使用し、つまりそれまで記録されていたトラック（楽曲等）を消さずに追加して録音したい場合と、録音操作を行なったときの光学ヘッドの位置から（そこが楽曲が既に記録されているか或は未記録領域であるかに関わらず）録音をしていきたい場合、つまり、テープ録音のようにユーザーの任意の位置からそれまでの記録状態を消去して新たに上書きするように録音していきたい場合があるため、このような録音方式をユーザーが選択できるようにすることが望まれている。
【０００５】
また、再生装置としてはそれまで録音されている最後の位置に光学ヘッドをアクセスさせたい場合が多い。
例えば、それまで録音していた楽曲の確認や、録音後にその楽曲が正しく最後まで録音されたかどうかを確認するためには、最終楽曲の後端部近辺を再生させたい。しかしながら、最終楽曲の後端部を再生させるためには例えば最終楽曲の頭だし操作を行なった後、キュー（早送り再生）操作を続けて、その再生位置にたどりつかなければならず、操作が煩雑でまた再生までに時間がかかるという問題がある。
【０００６】
【課題を解決するための手段】
本発明はこのような問題点に鑑みて、記録再生装置において、記録時には所望の記録方式が選択でき、また、再生時には最終トラックの後端位置にアクセスさせて再生させることが容易にしかも迅速に実行できるようにすることを目的とする。
【０００７】
このため記録再生装置としては、未記録領域と記録済領域とが離散的に存在可能で、上記未記録領域および記録済領域を管理する管理情報が記録されたディスク状記録媒体にデータを記録する記録再生装置において、上記ディスク状記録媒体に記録された管理情報を再生する再生手段と、上記再生手段にて再生された管理情報を記憶する記憶手段と、上記記憶手段に記憶された管理情報から、未記録領域を管理する複数の未記録領域管理情報を書き換えるリンク情報管理手段と、記録済み領域の終端部の検索指示が入力操作される終端検索指示操作手段と、記録指示を行う記録指示操作手段と、再生指示を行う再生指示操作手段と、上記終端検索指示操作手段が操作された場合であって、上記記憶手段に記憶された未記録領域管理情報に基づいて上記ディスク状記録媒体の複数の未記録領域の中に上記ディスク状記録媒体の最外周に位置する未記録領域があると判断されるときには上記ディスク状記録媒体の最外周に位置する未記録領域の開始部近傍に記録ヘッドを移送し、上記記録終端検索指示操作手段が操作された後に上記再生操作指示手段が操作された場合には、上記記憶手段に記憶されている管理情報に基づいて直前に記録されたトラック終端に再生ヘッドを移送する制御手段とを備えるようにする。
【０００８】
また記録再生方法としては、未記録領域と記録済領域とが離散的に存在可能で、上記未記録領域および記録済領域を管理する管理情報が記録されたディスク状記録媒体にデータを記録する記録再生方法において、上記ディスク状記録媒体に記録された管理情報を再生するステップと、上記再生された管理情報を記憶手段に記憶するステップと、上記記憶手段に記憶された管理情報から、未記録領域を管理する複数の未記録領域管理情報を書き換えるステップと、記録済み領域の終端部の検索を指示する終端検索指示が検出された場合であって、上記記憶手段に記憶された未記録領域管理情報に基づいて上記ディスク状記録媒体の複数の未記録領域の中に上記ディスク状記録媒体の最外周に位置する未記録領域があると判断されるときには、上記ディスク状記録媒体の最外周に位置する未記録領域の開始部近傍に記録ヘッドを移送するステップと、記録済み領域の終端部の検索を指示する終端検索指示が検出された後に、さらに記録指示が検出された場合には、上記管理情報に基づいて直前に記録されたトラックの終端に再生ヘッドを移送するステップとを備えるようにする。
【０００９】
【作用】
記録終端サーチ操作手段を設け、この記録終端サーチ操作手段の操作後（つまり、ユーザーがそれまでの記録済の部分の終端にあると認識できる操作の後）に記録操作がなされた場合はそれまで記録されていたトラックデータを消さずに未記録領域に記録していくようにし、通常の記録操作の場合は、その時点のアドレスから記録していくようにすれば、ユーザーが２通りの記録方式を選択できる。また、記録終端サーチ操作手段により、最終楽曲の終端アドレスへアクセスさせることにより、記録終端部分を再生させて確認することなどが容易にしかも迅速に行なうことができるようになる。
【００１０】
【実施例】
以下、図１〜図１６を用いて本発明の記録装置及び再生装置の実施例として、光磁気ディスクを記録媒体として用いた記録再生装置をあげ、次の順序で説明する。
１．記録再生装置の構成
２．ディスクのデータ記録形態及びエリア構造
３．Ｐ−ＴＯＣセクター
４．Ｕ−ＴＯＣセクター
５．フリーエリアの管理形態
６．エンドサーチキーの操作に基づく処理
７．エンドサーチキーによる動作例
【００１１】
＜１．記録再生装置の構成＞
図１（ａ）〜（ｄ）は記録再生装置の外観を示す平面図、正面図、右側面図、及び左側面図である。
３０は記録再生装置本体、３１は例えば液晶ディスプレイによる表示部であり、トラックナンバ、再生時間、記録／再生進行時間、タイトル文字、動作モード、記録／再生レベルなどの表示がなされる。
３２はディスク挿入部であり、カートリッジに収納された光磁気ディスクが挿入され、内部の記録／再生光学ドライブ系にローディングされる。
【００１２】
記録再生装置本体３０には操作入力部として各種の操作手段が設けられている。例えば本体前面側には録音スイッチ３３、イジェクトキー３４、編集スイッチ３５が設けられる。
本体上面には、再生キー３６、一時停止（ポーズ）キー３７、停止キー３８、ＡＭＳキー３９、サーチキー４０、曲名入力モードキー４１、ディスク名入力モードキー４２、日付入力モードキー４３、テンキー４４、エンターキー４５が設けられ、さらに、最終楽曲の終端位置（エンドアドレス）のサーチ等に用いるエンドサーチキー４６が設けられている。
テンキー４４の各数字キーにはそれぞれ３個又は２個アルファベット、或はスペースが対応され、文字入力の際に用いられる。
【００１３】
本体右側面にはホールドスイッチ４８、リピート／シャッフル／プログラム再生などを選択するプレイモードキー４９、バスブーストスイッチ５０、リジュームスイッチ５１が設けられ、また本体左側面には、ＡＧＣスイッチ５２，マイクアッテネータスイッチ５３が設けれる。
さらに、５４はボリュームつまみ、５５は録音レベル調整つまみである。
【００１４】
また、本体側面には各種入出力端子が設けられる。
５６はマイク入力端子、５７はヘッドホン出力端子である。また、５８は入力端子であり、光ケーブルによるデジタル音声信号の入力端子及びアナログ音声信号のライン入力端子として兼用されている。兼用のための端子機構の説明は省略する。また、５９は出力端子であり、光ケーブルによるデジタル音声信号の出力端子及びアナログ音声信号のライン出力端子として兼用されている。
【００１５】
図１の記録再生装置の内部の要部のブロック図を図２に示す。
図２において、１は例えば音声データが記録されている光磁気ディスクを示し、ディスク挿入部３２からローディングされた状態を模式的に示している。
この光磁気ディスク１はスピンドルモータ２により回転駆動される。３は光磁気ディスク１に対して記録／再生時にレーザ光を照射する光学ヘッドであり、記録時には記録トラックをキュリー温度まで加熱するための高レベルのレーザ出力をなし、また再生時には磁気カー効果により反射光からデータを検出するための比較的低レベルのレーザ出力をなす。
【００１６】
このため、光学ヘッド３はレーザ出力手段としてのレーザダイオード、偏光ビームスプリッタや対物レンズ等からなる光学系、及び反射光を検出するためのディテクタが搭載されている。対物レンズ３ａは２軸機構４によってディスク半径方向及びディスクに接離する方向に変位可能に保持されている。
【００１７】
また、６ａは供給されたデータによって変調された磁界を光磁気ディスクに印加する磁気ヘッドを示し、光磁気ディスク１を挟んで光学ヘッド３と対向する位置に配置されている。光学ヘッド３全体及び磁気ヘッド６ａは、スレッド機構５によりディスク半径方向に移動可能とされている。
【００１８】
再生動作によって、光学ヘッド３により光磁気ディスク１から検出された情報はＲＦアンプ７に供給される。ＲＦアンプ７は供給された情報の演算処理により、再生ＲＦ信号、トラッキングエラー信号、フォーカスエラー信号、絶対位置情報（光磁気ディスク１にプリグルーブ（ウォブリンググルーブ）として記録されている絶対位置情報）、アドレス情報、フォーカスモニタ信号等を抽出する。そして、抽出された再生ＲＦ信号はエンコーダ／デコーダ部８に供給される。また、トラッキングエラー信号、フォーカスエラー信号はサーボ回路９に供給され、アドレス情報はアドレスデコーダ１０に供給される。さらに絶対位置情報、フォーカスモニタ信号は例えばマイクロコンピュータによって構成されるシステムコントローラ１１に供給される。
【００１９】
サーボ回路９は供給されたトラッキングエラー信号、フォーカスエラー信号や、システムコントローラ１１からのトラックジャンプ指令、シーク指令、スピンドルモータ２の回転速度検出情報等により各種サーボ駆動信号を発生させ、２軸機構４及びスレッド機構５を制御してフォーカス及びトラッキング制御をなし、またスピンドルモータ２を一定角速度（ＣＡＶ）又は一定線速度（ＣＬＶ）に制御する。
【００２０】
再生ＲＦ信号はエンコーダ／デコーダ部８でＥＦＭ復調、ＣＩＲＣ等のデコード処理された後、メモリコントローラ１２によって一旦バッファＲＡＭ１３に書き込まれる。なお、光学ヘッド３による光磁気ディスク１からのデータの読み取り及び光学ヘッド３からバッファＲＡＭ１３までの系における再生データの転送は1.41Mbit/secで、しかも間欠的に行なわれる。
【００２１】
バッファＲＡＭ１３に書き込まれたデータは、再生データの転送が0.3Mbit/sec となるタイミングで読み出され、エンコーダ／デコーダ部１４に供給される。そして、音声圧縮処理に対するデコード処理等の再生信号処理を施されて出力デジタル信号とされる。
出力デジタル信号は、Ｄ／Ａ変換器１５によってアナログ信号とされ、上記図１に示した出力端子５９又はヘッドホン出力端子５７に供給される。またはアナログ化されずに直接出力端子５９に供給される。
つまり、ヘッドホン出力端子５７にヘッドホンが接続されているときは、アナログ化された音声信号がヘッドホンに供給され、また出力端子５９にオーディオコード（例えばピンプラグコード）が接続されている時は、アナログ化された音声信号がそのオーディオコードにより他の機器に供給される。
また、出力端子５９にオーディオ用光ケーブルが接続されている時は、デジタルデータとして他の機器に音声信号が供給されることになる。
【００２２】
ここで、バッファＲＡＭ１３へのデータの書込／読出は、メモリコントローラ１２によって書込ポインタと読出ポインタの制御によりアドレス指定されて行なわれるが、書込ポインタ（書込アドレス）は上記したように1.41Mbit/secのタイミングでインクリメントされ、一方、読出ポインタ（読出アドレス）は0.3Mbit/sec のタイミングでインクリメントされていくため、この書込と読出のビットレートの差異により、バッファＲＡＭ１３内には或る程度データが蓄積された状態となる。バッファＲＡＭ１３内にフル容量のデータが蓄積された時点で書込ポインタのインクリメントは停止され、光学ヘッド３による光磁気ディスク１からのデータ読出動作も停止される。ただし読出ポインタＲのインクリメントは継続して実行されているため、再生音声出力はとぎれないことになる。
【００２３】
その後、バッファＲＡＭ１３から読出動作のみが継続されていき、或る時点でバッファＲＡＭ１３内のデータ蓄積量が所定量以下となったとすると、再び光学ヘッド３によるデータ読出動作及び書込ポインタのインクリメントが再開され、再びバッファＲＡＭ１３のデータ蓄積がなされていく。
【００２４】
このようにバッファＲＡＭ１３を介して再生音響信号を出力することにより、例えば外乱等でトラッキングが外れた場合などでも、再生音声出力が中断してしまうことはなく、データ蓄積が残っているうちに例えば正しいトラッキング位置までにアクセスしてデータ読出を再開することで、再生出力に影響を与えずに動作を続行できる。即ち、耐振機能を著しく向上させることができる。
【００２５】
図２において、アドレスデコーダ１０から出力されるアドレス情報や制御動作に供されるサブコードデータはエンコーダ／デコーダ部８を介してシステムコントローラ１１に供給され、各種の制御動作に用いられる。
さらに、記録／再生動作のビットクロックを発生させるＰＬＬ回路のロック検出信号、及び再生データ（Ｌ，Ｒチャンネル）のフレーム同期信号の欠落状態のモニタ信号もシステムコントローラ１１に供給される。
【００２６】
また、システムコントローラ１１は光学ヘッド３におけるレーザダイオードの動作を制御するレーザ制御信号ＳLPを出力しており、レーザダイオードの出力をオン／オフ制御するとともに、オン制御時としては、レーザパワーが比較的低レベルである再生時の出力と、比較的高レベルである記録時の出力とを切り換えることができるようになされている。
【００２７】
光磁気ディスク１に対して記録動作が実行される際には、入力端子５８に接続されたオーディオコード又はオーディオ用光ケーブルにより、他の機器からアナログ又はデジタル音声信号が供給される。又はマイク入力端子５６にマイクロフォンが接続されて音声信号が供給される。
【００２８】
オーディオ用光ケーブルによりデジタルデータで入力端子５８に送られてきた音声信号は直接エンコーダ／デコーダ部１４に供給される。また、オーディオコード又はマイクロフォンにより入力されたアナログ音声信号はＡ／Ｄ変換器１８に供給され、デジタルデータとされた後、エンコーダ／デコーダ部１４に供給される。
エンコーダ／デコーダ部１４では入力されたデジタル音声信号に対して、音声圧縮エンコード処理を施す。エンコーダ／デコーダ部１４によって圧縮された記録データはメモリコントローラ１２によって一旦バッファＲＡＭ１３に書き込まれ、また所定タイミングで読み出されてエンコーダ／デコーダ部８に送られる。そしてエンコーダ／デコーダ部８でＣＩＲＣエンコード、ＥＦＭ変調等のエンコード処理された後、磁気ヘッド駆動回路６に供給される。
【００２９】
磁気ヘッド駆動回路６はエンコード処理された記録データに応じて、磁気ヘッド６ａに磁気ヘッド駆動信号を供給する。つまり、光磁気ディスク１に対して磁気ヘッド６ａによるＮ又はＳの磁界印加を実行させる。また、このときシステムコントローラ１１は光学ヘッドに対して、記録レベルのレーザ光を出力するように制御信号を供給する。
【００３０】
１９はユーザー操作に供されるキーが設けられた操作入力部であり、上述した３３〜５３のスイッチ又はキーがこれに相当する。
【００３１】
ところで、ディスク１に対して記録／再生動作を行なう際には、ディスク１に記録されている管理情報、即ちＰ−ＴＯＣ（プリマスタードＴＯＣ）、Ｕ−ＴＯＣ（ユーザーＴＯＣ）を読み出して、システムコントローラ１１はこれらの管理情報に応じてディスク１上の記録すべきセグメントのアドレスや、再生すべきセグメントのアドレスを判別することとなるが、この管理情報はバッファＲＡＭ１３に保持される。このためバッファＲＡＭ１３は、上記した記録データ／再生データのバッファエリアと、これら管理情報を保持するエリアが分割設定されている。
【００３２】
そして、システムコントローラ１１はこれらの管理情報を、ディスク１が装填された際に管理情報の記録されたディスクの最内周側の再生動作を実行させることによって読み出し、バッファＲＡＭ１３に記憶しておき、以後そのディスク１に対する記録／再生動作の際に参照できるようにしている。
【００３３】
また、Ｕ−ＴＯＣはデータの記録や消去に応じて編集されて書き換えられるものであるが、システムコントローラ１１は記録／消去動作のたびにこの編集処理をバッファＲＡＭ１３に記憶されたＵ−ＴＯＣ情報に対して行ない、その書換動作に応じて所定のタイミングでディスク１のＵ−ＴＯＣエリアについても書き換えるようにしている。
【００３４】
＜２．ディスクのデータ記録形態及びエリア構造＞
このような記録再生装置によりディスク１上に記録されるトラックデータの記録形態を図３〜図５で説明する。
光磁気ディスクでは、ＤＡＴやコンパクトカセットテープ等のテープ状記録媒体に比べてランダムアクセスがきわめて容易であり、従って、ディスク上の内周側から外周側に向かって第１トラックから第ｎトラックまで順序正しく記録して行く必要はない。つまり、各楽曲がディスク上では物理的にバラバラの位置に記録されていても、第１トラックから第ｎトラックまでの各楽曲の記録されているアドレスが管理されていくかぎり、正しい曲順で再生していくことができる。
【００３５】
さらに、例えば１つのトラック（楽曲）も必ずしも連続したセグメント（なお、セグメントとは物理的に連続したデータが記録されている部分のことをいうこととする）に記録する必要はなく、ディスク上において離散的に複数のセグメントに分けて記録してしまっても問題ない。
【００３６】
特に、上述のように光磁気ディスクから読み出されたデータを高速レートで一旦バッファＲＡＭ１３に蓄え、バッファＲＡＭ１３から低速レートで読出を行なって音声再生信号として復調処理していくシステムでは、セグメント間のアクセスにより、一時的に光磁気ディスクからのデータ読出が中断されてしまっても、再生音声がとぎれることなく出力することができる。
【００３７】
従って、セグメント内の記録再生動作と高速アクセス動作（バッファＲＡＭ１３の書込レートと読出レートの差によって生じるデータ蓄積量による再生可能時間以内に終了するアクセス動作）とを繰り返していけば、１つの楽曲のトラックが複数のセグメントに別れて物理的に分割されていても楽曲の記録／再生に支障はないようにすることができる。
【００３８】
例えば図３に示すように第１曲目がセグメントＭ1 、第２曲目がセグメントＭ2 として連続的に記録されているが、第４曲目、５曲目としてセグメントＭ4(1)〜Ｍ4(4)、Ｍ5(1)〜Ｍ5(2)に示すようにディスク上に分割して記録されることも可能である。（なお、図３はあくまでも模式的に示したもので、実際には１つのセグメントは数〜数１００周回トラック分もしくはそれ以上にわたることが多い。）
【００３９】
光磁気ディスクに対して楽曲の記録や消去が繰り返されたとき、記録する楽曲の演奏時間や消去した楽曲の演奏時間の差によりトラック上の空き領域が不規則に発生してしまうが、このように離散的な記録を実行することにより、例えば消去した楽曲よりも長い楽曲を、その消去部分を活用して記録することが可能になり、記録／消去の繰り返しにより、データ記録領域の無駄が生じることは解消される。なお、記録されるのは必ずしも『楽曲』に限らず、音声信号であれば如何なるものも含まれるが、以下、内容的に連続する１単位のデータ（トラック）としては楽曲が記録されると仮定して説明を行なう。
【００４０】
もちろんこのようなディスクに対しては、記録時には複数の未記録領域となるセグメントをアクセスしながら録音を継続していき、また再生時には１つの楽曲が正しく連続して再生されるようにセグメントがアクセスされていかなければならない。このために必要な、１つの楽曲内のセグメント（例えばＭ4(1)〜Ｍ4(4)）を連結するためのデータや、未記録領域を示すデータは、上記したように記録動作や消去動作毎に書き換えられるＵ−ＴＯＣ情報として保持されており、記録／再生装置はこのＵ−ＴＯＣ情報を読み込んでヘッドのアクセスを行なうことにより、適正に記録／再生動作をなすように制御される。
【００４１】
また、ディスク１における記録トラックは、図４のように４セクターの（１セクタ＝２３５２バイト）サブデータ領域と３２セクターのメインデータ領域からなるクラスタＣＬ（＝３６セクタ−）が連続して形成されており、１クラスタが記録時の最小単位とされる。１クラスタは２〜３周回トラック分に相当する。なお、アドレスは１セクター毎に記録される。
４セクターのサブデータ領域はサブデータやリンキングエリアとしてなどに用いられ、ＴＯＣデータ、オーディオデータ等の記録は３２セクターのメインデータ領域に行なわれる。
【００４２】
また、セクターはさらにサウンドグループに細分化され、２セクターが１１サウンドグループに分けられている。そして、サウンドグループ内には５１２サンプルのデータがＬチャンネルとＲチャンネルに分けられて記録されることになる。１サウンドグループは11.6msecの時間に相当する音声データ量となる。
【００４３】
ディスクのエリア構造を図５に、その半径方向に模式的に示す。
光磁気ディスクの場合、大きくわけて図５にピットエリアとして示すようにエンボスピットによりデータが記録されているエリア（プリマスタードエリア）と、いわゆる光磁気エリアとされてグルーブが設けられているグルーブエリアに分けられる。
【００４４】
ここでピットエリアとしてはＰ−ＴＯＣが繰り返し記録されており、後述するようにこのＰ−ＴＯＣにおいて、Ｕ−ＴＯＣの位置がＵ−ＴＯＣスタートアドレスＵＳＴA として示され、また、リードアウトスタートアドレスＲＯA 、レコーダブルユーザーエリアスタートアドレスＲＳＴA 、パワーキャルエリアスタートアドレスＰＣA 等、図５に示す各アドレス位置が示されている。
【００４５】
このディスクの最内周側のピットエリアに続いてグルーブエリアが形成されるが、このグルーブエリア内のうちＰ−ＴＯＣ内のリードアウトスタートアドレスＲＯA として示されるアドレスまでのエリアが、記録可能なレコーダブルエリアとされ、以降はリードアウトエリアとされている。
【００４６】
さらにこのレコーダブルエリアのうち、実際に楽曲データトラックが記録されるレコーダブルユーザーエリアは、レコーダブルユーザーエリアスタートアドレスＲＳＴA から、リードアウトスタートアドレスＲＯA 直前の位置までとなる。
【００４７】
そして、グルーブエリア内においてレコーダブルユーザーエリアスタートアドレスＲＳＴA より前となるエリアは、記録再生動作のための管理エリアとされ、上記したＵ−ＴＯＣ等が記録され、またパワーキャルエリアスタートアドレスＰＣA として示される位置から１クラスタ分がレーザーパワーのキャリブレーションエリアとして設けられる。
Ｕ−ＴＯＣはこの記録再生動作のための管理エリア内においてＵ−ＴＯＣスタートアドレスＵＳＴA に示される位置から３クラスタ（１クラスタ＝３６セクター）連続して記録される。
【００４８】
＜３．Ｐ−ＴＯＣセクター＞
ここで、ディスク１においてセクターデータ形態で記録される音声データセクター、及び音声データの記録／再生動作の管理を行なう管理情報として、まずＰ−ＴＯＣセクターについて説明する。
Ｐ−ＴＯＣ情報としては、ディスクの記録可能エリア（レコーダブルユーザーエリア）などのエリア指定やＵ−ＴＯＣエリアの管理等が行なわれる。なお、ディスク１が再生専用の光ディスクであるプリマスタードディスクの場合は、Ｐ−ＴＯＣによってＲＯＭ化されて記録されている楽曲の管理も行なうことができるようになされている。
【００４９】
Ｐ−ＴＯＣのフォーマットを図６に示す。
図６は、図５のピットエリアにおいて繰り返し記録されるＰ−ＴＯＣ情報の１つのセクター（セクター０）を示している。なお、Ｐ−ＴＯＣフォーマットはセクター１以降はオプションとされている。
【００５０】
Ｐ−ＴＯＣのセクターのデータ領域（４バイト×588 の２３５２バイト）は、先頭位置にオール０又はオール１の１バイトデータによって成る同期パターンを及びクラスタアドレス及びセクターアドレスを示すアドレス等が４バイト付加され、以上でヘッダとされてＰ−ＴＯＣの領域であることが示される。
【００５１】
また、ヘッダに続いて所定アドレス位置に『ＭＩＮＩ』という文字に対応したアスキーコードによる識別ＩＤが付加されている。
さらに、続いてディスクタイプや録音レベル、記録されている最初の楽曲の曲番（First TNO)、最後の楽曲の曲番（Last TNO) が示され、また図５に示した各地点のアドレスが、リードアウトスタートアドレスＲＯA 、パワーキャルエリアスタートアドレスＰＣA 、Ｕ−ＴＯＣ（後述する図７のＵ−ＴＯＣセクター０のデータ領域）のスタートアドレスＵＳＴA 、録音可能なエリア（レコーダブルユーザーエリア）のスタートアドレスＲＳＴA として記録される。
【００５２】
続いて、記録されている各楽曲等を後述する管理テーブル部におけるパーツテーブルに対応させるテーブルポインタ(P-TNO1 〜P-TNO255) を有する対応テーブル指示データ部が用意されている。
【００５３】
そして対応テーブル指示データ部に続く領域には、対応テーブル指示データ部におけるテーブルポインタ(P-TNO1 〜P-TNO255) に対応して、(01h) 〜(FFh) までの２５５個のパーツテーブルが設けられた管理テーブル部が用意される（なお本明細書において『ｈ』を付した数値はいわゆる１６進表記のものである）。それぞれのパーツテーブルには、或るセグメントについて起点となるスタートアドレス、終端となるエンドアドレス、及びそのセグメント（トラック）のモード情報（トラックモード）が記録できるようになされている。
【００５４】
各パーツテーブルにおけるトラックのモード情報とは、そのセグメントが例えばオーバーライト禁止やデータ複写禁止に設定されているか否かの情報や、オーディオ情報か否か、モノラル／ステレオの種別などが記録されている。
【００５５】
管理テーブル部における(01h) 〜(FFh) までの各パーツテーブルは、対応テーブル指示データ部のテーブルポインタ (P-TNO1〜P-TNO255) によって、そのセグメントの内容が示される。つまり、第１曲目の楽曲についてはテーブルポインタP-TNO1として或るパーツテーブル（例えば(01h) 。ただし実際にはテーブルポインタには所定の演算処理によりＰ−ＴＯＣセクター０内のバイトポジションで或るパーツテーブルを示すことができる数値が記されている）が記録されており、この場合パーツテーブル(01h) のスタートアドレスは第１曲目の楽曲の記録位置のスタートアドレスとなり、同様にエンドアドレスは第１曲目の楽曲が記録された位置のエンドアドレスとなる。さらに、トラックモード情報はその第１曲目についての情報となる。
【００５６】
同様に第２曲目についてはテーブルポインタP-TNO2に示されるパーツテーブル（例えば(02h) ）に、その第２曲目の記録位置のスタートアドレス、エンドアドレス、及びトラックモード情報が記録されている。
以下同様にテーブルポインタはP-TNO255まで用意されているため、Ｐ−ＴＯＣ上では第２５５曲目まで管理可能とされている。
そして、このようにＰ−ＴＯＣセクター０が形成されることにより、例えば再生時において、所定の楽曲をアクセスして再生させることができる。
【００５７】
なお、記録／再生可能な光磁気ディスクの場合いわゆるプリマスタードの楽曲エリアが存在しないため、上記した対応テーブル指示データ部及び管理テーブル部は用いられず（これらは続いて説明するＵ−ＴＯＣで管理される）、従って各バイトは全て『００ｈ』とされている。
ただし、全ての楽曲がＲＯＭ形態（ピット形態）で記録されているプリマスタードタイプのディスク、及び楽曲等が記録されるエリアとしてＲＯＭエリアと光磁気エリアの両方を備えたハイブリッドタイプのディスクについては、そのＲＯＭエリア内の楽曲の管理に上記対応テーブル指示データ部及び管理テーブル部が用いられる。
【００５８】
＜４．Ｕ−ＴＯＣセクター＞
続いてＵ−ＴＯＣの説明を行なう。
図７はＵ−ＴＯＣの１セクター（セクター０）のフォーマットを示しており、主にユーザーが録音を行なった楽曲や新たに楽曲が録音可能な未記録領域（フリーエリア）についての管理情報が記録されているデータ領域とされる。なお、Ｕ−ＴＯＣもセクター１以降はオプションとされる。
例えばディスク１に或る楽曲の録音を行なおうとする際には、システムコントローラ１１は、Ｕ−ＴＯＣからディスク上のフリーエリアを探し出し、ここに音声データを記録していくことができるようになされている。また、再生時には再生すべき楽曲が記録されているエリアをＵ−ＴＯＣから判別し、そのエリアにアクセスして再生動作を行なう。
【００５９】
図７に示すＵ−ＴＯＣのセクター（セクター０）には、Ｐ−ＴＯＣと同様にまずヘッダが設けられ、続いて所定アドレス位置に、メーカーコード、モデルコード、最初の楽曲の曲番(First TNO）、最後の楽曲の曲番（Last TNO）、セクター使用状況、ディスクシリアルナンバ、ディスクＩＤ等のデータが記録され、さらに、ユーザーが録音を行なって記録されている楽曲の領域や未記録領域等を後述する管理テーブル部に対応させることによって識別するため、対応テーブル指示データ部として各種のテーブルポインタ(P-DFA，P-EMPTY ，P-FRA ，P-TNO1〜P-TNO255) が記録される領域が用意されている。
【００６０】
そして対応テーブル指示データ部のテーブルポインタ(P-DFA〜P-TNO255) に対応させることになる管理テーブル部として(01h) 〜(FFh) までの２５５個のパーツテーブルが設けられ、それぞれのパーツテーブルには、上記図６のＰ−ＴＯＣセクター０と同様に或るセグメントについて起点となるスタートアドレス、終端となるエンドアドレス、そのセグメントのモード情報（トラックモード）が記録されており、さらにこのＵ−ＴＯＣセクター０の場合、各パーツテーブルで示されるセグメントが他のセグメントへ続いて連結される場合があるため、その連結されるセグメントのスタートアドレス及びエンドアドレスが記録されているパーツテーブルを示すリンク情報が記録できるようになされている。
【００６１】
この種の記録再生装置では、上述したように１つの楽曲のデータが物理的に不連続に、即ち複数のセグメントにわたって記録されていてもセグメント間でアクセスしながら再生していくことにより再生動作に支障はないため、ユーザーが録音する楽曲等については、録音可能エリアの効率使用等の目的から、複数セグメントにわけて記録する場合もある。そのため、リンク情報が設けられ、例えば各パーツテーブルに与えられたナンバ(01h) 〜(FFh) （実際には所定の演算処理によりＵ−ＴＯＣセクター０内のバイトポジションとされる数値で示される）によって、連結すべきパーツテーブルを指定することによってパーツテーブルが連結できるようになされている。（なお、あらかじめピット形態で記録される楽曲等については通常セグメント分割されることがないため、前記図６のようにＰ−ＴＯＣセクター０においてリンク情報はすべて『(00h) 』とされている。）
【００６２】
つまりＵ−ＴＯＣセクター０における管理テーブル部においては、１つのパーツテーブルは１つのセグメントを表現しており、例えば３つのセグメントが連結されて構成される楽曲についてはリンク情報によって連結される３つのパーツテーブルによって、そのセグメント位置の管理はなされる。
【００６３】
Ｕ−ＴＯＣセクター０の管理テーブル部における(01h) 〜(FFh) までの各パーツテーブルは、対応テーブル指示データ部におけるテーブルポインタ(P-DFA，P-EMPTY ，P-FRA ，P-TNO1〜P-TNO255) によって、以下のようにそのセグメントの内容が示される。
【００６４】
テーブルポインタP-DFA は光磁気ディスク１上の欠陥領域に付いて示しており、傷などによる欠陥領域となるトラック部分（＝セグメント）が示された１つのパーツテーブル又は複数のパーツテーブル内の先頭のパーツテーブルを指定している。つまり、欠陥セグメントが存在する場合はテーブルポインタP-DFA において(01h) 〜(FFh) のいづれかが記録されており、それに相当するパーツテーブルには、欠陥セグメントがスタート及びエンドアドレスによって示されている。また、他にも欠陥セグメントが存在する場合は、そのパーツテーブルにおけるリンク情報として他のパーツテーブルが指定され、そのパーツテーブルにも欠陥セグメントが示されている。そして、さらに他の欠陥セグメントがない場合はリンク情報は例えば『(00h) 』とされ、以降リンクなしとされる。
【００６５】
テーブルポインタP-EMPTY は管理テーブル部における１又は複数の未使用のパーツテーブルの先頭のパーツテーブルを示すものであり、未使用のパーツテーブルが存在する場合は、テーブルポインタP-EMPTY として、(01h) 〜(FFh) のうちのいづれかが記録される。未使用のパーツテーブルが複数存在する場合は、テーブルポインタP-EMPTY によって指定されたパーツテーブルからリンク情報によって順次パーツテーブルが指定されていき、全ての未使用のパーツテーブルが管理テーブル部上で連結される。
【００６６】
テーブルポインタP-FRA は光磁気ディスク１上のデータの書込可能なフリーエリア（消去領域を含む）について示しており、フリーエリアとなるトラック部分（＝セグメント）が示された１又は複数のパーツテーブル内の先頭のパーツテーブルを指定している。つまり、フリーエリアが存在する場合はテーブルポインタP-FRA において(01h) 〜(FFh) のいづれかが記録されており、それに相当するパーツテーブルには、フリーエリアであるセグメントがスタート及びエンドアドレスによって示されている。また、このようなセグメントが複数個有り、つまりパーツテーブルが複数個有る場合はリンク情報により、リンク情報が『(00h) 』となるパーツテーブルまで順次指定されている。
【００６７】
図８にパーツテーブルにより、フリーエリアとなるセグメントの管理状態を模式的に示す。これはセグメント(03h)(18h)(1Fh)(2Bh)(E3h) がフリーエリアとされている時に、この状態が対応テーブル指示データP-FRA に引き続きパーツテーブル(03h)(18h)(1Fh)(2Bh)(E3h) のリンクによって表現されている状態を示している。なお、上記した欠陥領域や、未使用パーツテーブルの管理形態もこれと同様となる。
【００６８】
ところで、全く楽曲等の音声データの記録がなされておらず欠陥もない光磁気ディスクであれば、テーブルポインタP-FRA によってパーツテーブル(01h) が指定され、これによってディスクのレコーダブルユーザーエリアの全体が未記録領域（フリーエリア）であることが示される。そして、この場合残る(02h) 〜(FFh) のパーツテーブルは使用されていないことになるため、上記したテーブルポインタP-EMPTY によってパーツテーブル(02h) が指定され、また、パーツテーブル(02h) のリンク情報としてパーツテーブル(03h) が指定され、パーツテーブル(03h) のリンク情報としてパーツテーブル(04h) が指定され、というようにパーツテーブル(FFh) まで連結される。この場合パーツテーブル(FFh) のリンク情報は以降連結なしを示す『(00h) 』とされる。
なお、このときパーツテーブル(01h) については、スタートアドレスとしてはレコーダブルユーザーエリアのスタートアドレスが記録され、またエンドアドレスとしてはリードアウトスタートアドレスの直前のアドレスが記録されることになる。
【００６９】
テーブルポインタP-TNO1〜P-TNO255は、光磁気ディスク１にユーザーが記録を行なった楽曲について示しており、例えばテーブルポインタP-TNO1では１曲目のデータが記録された１又は複数のセグメントのうちの時間的に先頭となるセグメントが示されたパーツテーブルを指定している。
【００７０】
例えば１曲目とされた楽曲がディスク上でトラックが分断されずに（つまり１つのセグメントで）記録されている場合は、その１曲目の記録領域はテーブルポインタP-TNO1で示されるパーツテーブルにおけるスタート及びエンドアドレスとして記録されている。
【００７１】
また、例えば２曲目とされた楽曲がディスク上で複数のセグメントに離散的に記録されている場合は、その楽曲の記録位置を示すため各セグメントが時間的な順序に従って指定される。つまり、テーブルポインタP-TNO2に指定されたパーツテーブルから、さらにリンク情報によって他のパーツテーブルが順次時間的な順序に従って指定されて、リンク情報が『(00h) 』となるパーツテーブルまで連結される（上記、図８と同様の形態）。このように例えば２曲目を構成するデータが記録された全セグメントが順次指定されて記録されていることにより、このＵ−ＴＯＣセクター０のデータを用いて、２曲目の再生時や、その２曲目の領域へのオーバライトを行なう際に、光学ヘッド３及び磁気ヘッド６をアクセスさせ離散的なセグメントから連続的な音楽情報を取り出したり、記録エリアを効率使用した記録が可能になる。
【００７２】
以上のようにディスク上のエリア管理はＰ−ＴＯＣによってなされ、またレコーダブルユーザーエリアにおいて記録された楽曲やフリーエリア等はＵ−ＴＯＣにより行なわれる。
これらのＴＯＣ情報はバッファＲＡＭ１３に読み込まれてシステムコントローラ１１がこれを参照できるようになされる。
【００７３】
＜５．フリーエリアの管理形態＞
Ｕ−ＴＯＣにおけるフリーエリアの管理形態を図９により説明する。
図９（ａ）に、２曲の楽曲がレコーダブルユーザーエリアに録音されているディスクにおけるセグメントの使用形態の例を模式的に示す。
ここで、１曲目の楽曲はＭ1(1)及びＭ1(2)の２つのセグメントから構成されており、また２曲目の楽曲はＭ2(1)，Ｍ2(2)，Ｍ2(3)の３つのセグメントから構成されている。そして、フリーエリアとしてＦ1 〜Ｆ5 の５つのセグメントが残されている。セグメントＦ1 のエンドアドレスはディスクのリードアウトアドレスの直前となっている。
【００７４】
Ｆ1 〜Ｆ5 のセグメントはＵ−ＴＯＣにおいてＦ1 ，Ｆ2 ，Ｆ3 ，Ｆ4 ，Ｆ5 の順に前記図８の形態でリンクされて管理されており、この状態から例えば３曲目の録音がフリーエリアになされる場合は、まずセグメントＦ1 から記録されていき、続いてリンク順にアクセスされて記録されていく。
【００７５】
いま、図９（ａ）の状態から２曲目の楽曲の消去が実行されたとすると、Ｍ2(1)，Ｍ2(2)，Ｍ2(3)の各セグメントは以降フリーエリアとされることになる。従って、Ｕ−ＴＯＣにおける対応テーブル指示データP-FRA からリンクされるフリーエリアに関するデータを書き換えなければならない。このとき、単に新たにフリーエリアとされたセグメントをそれまでのフリーエリアの最後のセグメント（Ｆ−５）からリンクさせて管理することは行なわず、新たにリンク構造を作成する。
【００７６】
すなわち、もしディスク最外周に位置するセグメントがフリーエリアであればこれを第１に、それ以外のセグメントについてはディスク内周側からアドレス順にリンクさせていく。従って、図９（ｂ）のようにフリーエリアはＦ1 ，Ｆ2 ・・・・Ｆ8 とリンクされて管理されるようにＵ−ＴＯＣデータが書き換えられる。
【００７７】
このように常にフリーエリアが、まず最外周に存在する場合はこれを第１に、その他は内周側から順次リンクされて管理されるようにすることで、以降フリーエリアを用いて録音する楽曲が複数のセグメントに分割されてしまう可能性を最小限にするとともに、分割された場合でも比較的近接したセグメントに連続されるように録音を行なうことができ、再生時のアクセス所要時間の低減及び耐振性の低下の防止を計ることができる。即ち、記録動作は通常内周側から順次行なっていくため、ディスク最外周側のフリーエリアは最も大きいフリーエリアである場合が多く、１つの楽曲を複数セグメントにわけて記録しなければならなくなる可能性は少ないため、これを第１とする。それ以外のフリーエリアはアドレス順に内周側からリンクさせておけば、アクセス距離は最小となる。
【００７８】
＜６．エンドサーチキーの操作に基づく処理＞
以上のような本実施例の記録再生装置においては、図１に示したようにエンドサーチキー４６が設けられており、これを用いてユーザーは所要の操作を行なうことができる。
以下、このエンドサーチキー４６の操作に基づく処理（システムコントローラ１１の制御）を説明する。
【００７９】
図１０はエンドサーチキー４６の操作に関連したシステムコントローラ１１の処理について示したフローチャートである。なお、通常の録音モード時、再生モード時の処理については録音モード処理、再生モード処理としてのみ示し詳述を避ける。
【００８０】
再生モードの動作中（再生、再生一時停止等）又は停止中において(F100)、エンドサーチキー４６が押されずに、録音スイッチ３３が操作された場合 (F101→F102→YES)は、通常の録音処理に入る。即ち、曲番（トラックナンバ）をインクリメントし、再生中、再生一時停止中であるその時点での光学ヘッドの位置から録音を開始することになる (F103→F104) 。この場合、その録音しようとする位置に既に楽曲が記録されていたら、それは消去されることになる。つまり、テープレコーダーの場合と同様にユーザーが任意の位置から強制的に過去のデータを消して録音を行なうことになる。
【００８１】
ところが、エンドサーチキー４６が操作された場合はステップF101からF105に進むことになり、まず、この時点で最終トラックの曲番と時間表示がなされる。例えば５曲録音されていたディスクであれば最終曲番（トラックナンバ）として『５』が表示される。この数値はＵ−ＴＯＣにおいて『Last TNO』として管理されているため、システムコントローラ１１はこれを参照して表示動作を制御する。また、時間表示としては、その最終楽曲の終端位置（エンドアドレス位置）を基準として行なう。例えば５曲録音されている場合の、その５曲目の終了までの総合時間や、或は残りの録音可能時間（つまりその時点でのフリーエリアの合計を時間に換算した数値）を表示する。なお、例えば５曲目のみのエンドアドレス地点での進行時間や、その５曲目を録音した日時情報などを表示するようにしてもよい。
この最終楽曲のエンドアドレス地点の情報の表示状態において、次の操作を待つ。つまりシステムコントローラ１１は、続いて、録音スイッチが操作されるか(F106)、再生キー３６が押されるか(F107)、ＡＭＳキー３９が押されるか(F108)、或は停止キー３８が押されるか(F109)を検知している。
【００８２】
ここで、ユーザーが停止キー３８を押した場合は、そのまま停止処理に入る(F120)。
またユーザーが録音スイッチ３３をオンとしたとすると、処理はステップF110に進み、フリーエリアの先頭アドレスに光学ヘッド３をアクセスさせる。
つまり、Ｕ−ＴＯＣ上でテーブルポインタP-FRA から最初に示されるパーツテーブルのスタートアドレスを読み、そのアドレスにアクセスさせる。従って、例えば図９（ａ）の場合は、光学ヘッド３はフリーエリアＦ1 の先頭位置に移動される。
【００８３】
そして、曲番をインクリメントし、フリーエリアに対する録音を開始する (F111→F121) 。この場合は、ステップF104の通常の録音処理とは異なり、フリーエリアを順次アクセスして録音を行なっていくことになる。つまり、それまで記録されていた楽曲は消去されない。例えば図９の例では先ずフリーエリアＦ1 について録音を実行し、フリーエリアＦ1 が終了した時点で未だ録音が続いていれば、Ｕ−ＴＯＣにおけるリンク構造をたどっていき、従って続いて入力される音声データは、フリーエリアＦ2 に記録され、以降もフリーエリアＦ3 ，Ｆ4 と記録されていく。
【００８４】
次にエンドサーチキー４６が押された後に、再生キー３６が押された場合は、処理はステップF107からF112に進み、ステップF105において表示していた最終楽曲のエンドアドレス位置に対して光学ヘッド３をアクセスさせる。そしてアクセス終了時点で再生一時停止状態に制御する。
【００８５】
ここで、サーチキー４０によりレビュー（早戻し）方向のサーチ操作がなされることを待機する(F113)。そして、レビューサーチ操作がなされたら、最終楽曲のエンドアドレス位置を起点として戻し方向に、キーが押されている間は、レビュー再生を実行する(F114,F115) 。なお、実際にはサーチキー４０を待機している間に、ＡＭＳキー３９や停止キー３８を受け付けるようにし、ステップF118又はF120の処理に移行するようにすることが考えられる。
【００８６】ユーザーがサーチキー４０より指を離してレビュー再生操作をやめたら、そのレビュー再生が終了された位置から再生動作を開始し、通常の再生モードに戻る(F116,F117) 。
【００８７】
また、エンドサーチキー４６が押された後に、ＡＭＳキー３９（前方向頭だしのＡＭＳキー）が押された場合は、処理はステップF108からF118に進み、ステップF105において表示していた最終楽曲について、その曲頭位置（スタートアドレス位置）に対して光学ヘッド３をアクセスさせる。もちろんスタートアドレスの情報はＵ−ＴＯＣから得られる。そしてアクセス終了時点で再生動作を開始させ、通常の再生モードに戻る (F119→F117) 。
【００８８】
システムコントローラ１１がエンドサーチキー４６の操作に伴って以上のような処理を行なうことにより、ユーザーは録音操作として、任意の位置から強制的に録音を行なう方式と、それまで録音してあった楽曲を消さないようにフリーエリアに録音を行なっていく方式とを選択できる。
また、録音の確認などのために最終楽曲のエンドアドレス位置近辺を再生させたい場合などは、エンドサーチキー４６と再生キー３６の操作で容易に、しかも迅速にその位置へアクセスさせ、レビュー再生またはレビュー後に通常再生させることができる。
【００８９】
＜７．エンドサーチキーによる動作例＞
このようなエンドサーチキー４６の操作に基づく処理による動作状態を各種例をあげて図１１〜図１６に示す。
【００９０】
図１１はディスク１に楽曲Ｍ1 〜Ｍ4 の４曲がディスク１上の物理的な位置として連続して順番に録音され、楽曲Ｍ4 以降はフリーエリアＦ1 とされている場合を示している。
この場合エンドサーチキー４６が操作された時に基準となる位置は図１１（ａ）のＥＳとして示す楽曲Ｍ4 のエンドアドレスとなる。  そして、エンドサーチキー４６の操作に続いて再生キー３６が押され、さらにレビュー再生操作がなされると、図中破線で示すように楽曲Ｍ4 のエンドアドレスから前方（ディスク内周側）に向かって早戻し再生がなされ、また、レビュー再生が終了された時点で図中実線で示すように通常の再生がなされる (ステップF112,F112,F113,F114,F115,F116,F117の処理) 。
また、エンドサーチキー４６の操作の次にＡＭＳキー３９が押されると、図示するように楽曲Ｍ4 のスタートアドレスにアクセスされて再生が実行される (ステップF119,F117 の処理) 。
【００９１】
さらに、エンドサーチキー４６の操作の次に録音スイッチ３３が操作されると、フリーエリアＦ1 のスタートアドレスにアクセスされ、フリーエリアＦ1 に対する録音が実行される (ステップF110,F111,F121の処理) 。
【００９２】
ところで、図１１（ｂ）のように再生又は再生一時停止動作により光学ヘッドが図中ＰＰで示す位置にある場合に、エンドサーチキー４６を操作せずに録音スイッチ３３を操作した場合は、そのＰＰの位置から楽曲Ｍ3 ，Ｍ4 のデータ（斜線部）を消去しながら録音を行なっていくことになる (ステップF103,F104 の処理) 。
【００９３】
図１２はディスク１に楽曲Ｍ1 〜Ｍ4 の４曲がディスク１上に順番に録音されており、楽曲Ｍ4 以降はフリーエリアＦ1 とされているが、さらに楽曲Ｍ2 とＭ3 の間にフリーエリアＦ2 が存在している場合を示している。
この場合も、エンドサーチキー４６が操作された時に基準となる位置は図１２（ａ）のＥＳとして示す楽曲Ｍ4 のエンドアドレスとなる。
【００９４】
そして、エンドサーチキー４６の操作に続いて再生キー３６が押され、さらにレビュー再生操作がなされると、図中破線で示すように楽曲Ｍ4 のエンドアドレスから前方（ディスク内周側）に向かって早戻し再生がなされ、また、レビュー再生が終了された時点で図中実線で示すように通常の再生がなされる (F112,F112,F113,F114,F115,F116,F117) 。
また、エンドサーチキー４６の操作の次にＡＭＳキー３９が押されると、図示するように楽曲Ｍ4 のスタートアドレスにアクセスされて再生が実行される (F119,F117)。
【００９５】
さらに、エンドサーチキー４６の操作の次に録音スイッチ３３が操作されると、Ｕ−ＴＯＣ上での先頭のフリーエリアとなるフリーエリアＦ1 のスタートアドレスにアクセスされ、フリーエリアＦ1 に対する録音が実行される。もし録音がフリーエリアＦ1 のみで終了しなければ、続いてフリーエリアＦ2 にアクセスされて録音が継続される (F110,F111,F121) 。
【００９６】
また、図１２（ｂ）のように再生又は再生一時停止動作により光学ヘッドが図中ＰＰで示す位置にある場合に、エンドサーチキー４６を操作せずに録音スイッチ３３を操作した場合は、そのＰＰの位置から楽曲Ｍ2 の斜線部のデータを消去しながら引き続きフリーエリアＦ2 にまたがって録音を行なっていくことになる(F103,F104)。
【００９７】
図１３はディスク１に楽曲Ｍ1 〜Ｍ4 の４曲が、Ｍ1 ，Ｍ2 ，Ｍ4 ，Ｍ3 の順で物理的に連続して録音され、楽曲Ｍ3 以降はフリーエリアＦ1 とされている場合である。
この場合、エンドサーチキー４６が操作された時に基準となる位置は図１３のＥＳとして示す楽曲Ｍ4 のエンドアドレスとなる。
【００９８】
そして、エンドサーチキー４６の操作に続いて再生キー３６及びレビューサーチキー４０が押されると、図中破線で示すように楽曲Ｍ4 のエンドアドレスから前方に向かって早戻し再生がなされ、また、レビュー再生が終了された時点で図中実線で示すように通常の再生がなされる。
また、エンドサーチキー４６の操作の次にＡＭＳキー３９が押されると、図示するように楽曲Ｍ4 のスタートアドレスにアクセスされて再生が実行される。
さらに、エンドサーチキー４６の操作の次に録音スイッチ３３が操作されると、フリーエリアＦ1 のスタートアドレスにアクセスされ、フリーエリアＦ1 に対する録音が実行される。
【００９９】
図１４はディスク１に楽曲Ｍ1 〜Ｍ4 の４曲が、Ｍ1 ，Ｍ2 ，Ｍ4 ，Ｍ3 の順で録音され、楽曲Ｍ3 より外周側のエリアはフリーエリアＦ1 とされており、さらに、楽曲Ｍ2 とＭ4 の間にフリーエリアＦ2 が存在する場合である。
エンドサーチキー４６が操作された時に基準となる位置は図１４のＥＳとして示す楽曲Ｍ4 のエンドアドレスとなる。
【０１００】
そして、エンドサーチキー４６の操作に続く再生キー３６及びレビューサーチキー４０の操作により、図中破線で示すように楽曲Ｍ4 のエンドアドレスから前方に向かって早戻し再生がなされ、また、レビュー再生が終了された時点で図中実線で示すように通常の再生がなされる。
また、エンドサーチキー４６の操作の次にＡＭＳキー３９が押されると、図示するように楽曲Ｍ4 のスタートアドレスにアクセスされて再生が実行される。
さらに、エンドサーチキー４６の操作の次に録音スイッチ３３が操作されると、Ｕ−ＴＯＣ上での先頭のフリーエリアとなるフリーエリアＦ1 のスタートアドレスにアクセスされ、フリーエリアＦ1 に対する録音が実行される。引き続き録音がなされていけば、続いてフリーエリアＦ2 にアクセスされて録音が継続される。
【０１０１】
図１５はディスク１に楽曲Ｍ1 〜Ｍ4 の４曲が、Ｍ1 ，Ｍ2 ，Ｍ4 ，Ｍ3 の順で録音され、楽曲Ｍ3 より外周側のエリアはフリーエリアＦ1 とされており、さらに、楽曲Ｍ4 とＭ3 の間にフリーエリアＦ2 が存在する場合である。
エンドサーチキー４６が操作された時に基準となる位置は図１５のＥＳとして示す楽曲Ｍ4 のエンドアドレスとなる。
【０１０２】
そして、エンドサーチキー４６の操作に続く再生キー３６及びレビューサーチキー４０の操作により、図中破線で示すように楽曲Ｍ4 のエンドアドレスから前方に向かって早戻し再生がなされ、また、レビュー再生が終了された時点で図中実線で示すように通常の再生がなされる。
また、エンドサーチキー４６の操作の次にＡＭＳキー３９が押されると、図示するように楽曲Ｍ4 のスタートアドレスにアクセスされて再生が実行される。
さらに、エンドサーチキー４６の操作の次に録音スイッチ３３が操作されると、Ｕ−ＴＯＣ上での先頭のフリーエリアとなるフリーエリアＦ1 のスタートアドレスにアクセスされ、フリーエリアＦ1 に対する録音が実行される。引き続き録音がなされていけば、続いてフリーエリアＦ2 にアクセスされて録音が継続される。
【０１０３】
図１６はディスク１に楽曲Ｍ1 〜Ｍ4 の４曲が、Ｍ1 ，Ｍ2 ，Ｍ4 ，Ｍ3 の順で録音され、フリーエリアは存在しない場合である。
エンドサーチキー４６が操作された時に基準となる位置は図１６のＥＳとして示す楽曲Ｍ4 のエンドアドレスとなる。
【０１０４】
そして、エンドサーチキー４６の操作に続く再生キー３６及びレビューサーチキー４０の操作により、図中破線で示すように楽曲Ｍ4 のエンドアドレスから前方に向かって早戻し再生がなされ、また、レビュー再生が終了された時点で図中実線で示すように通常の再生がなされる。また、エンドサーチキー４６の操作の次にＡＭＳキー３９が押されると、図示するように楽曲Ｍ4 のスタートアドレスにアクセスされて再生が実行される。
【０１０５】
この場合、エンドサーチキー４６の操作の次に録音スイッチ３３が操作されても、フリーエリアは存在しないため、録音は実行されない。この処理については図１０のフローチャートでは説明を省略したが、例えばフルエリア録音済であることを示す表示等を行なうこととなる。
【０１０６】
以上本発明の記録再生装置の実施例を説明してきたが、本発明はこの実施例に限定されることなく、処理方式や構成などについて要旨の範囲で各種変更可能であることはいうまでもない。
例えば図１０の処理において、操作キーの使用態様やモード遷移状態など各種他にも考えられる。また、エンドサーチキーを操作した時点で即座に最終楽曲のエンドアドレスにアクセスするようにしてもよい。
また、エンドサーチキーをリモートコマンダーや接続されるヘッドホン、マイクロホン等に設けて遠隔操作可能としてもよい。
【０１０７】
また、実施例では光磁気ディスクのみで説明したが、ディスク１が、音楽データをピット形態で記録してあるプリマスタードディスクや、音楽データエリアとしてピットエリアと光磁気エリアを備えたハイブリッドディスクである場合でも、同様の動作を実現できることはいうまでもない。
もちろん記録媒体はディスク状記録媒体に限らず、例えば固体メモリを利用した記録媒体など他の種の記録媒体に対応する記録再生装置としても本発明は適用できる。
【０１０８】
【発明の効果】
以上説明したように本発明の記録再生装置は、記録終端サーチ操作手段が操作された際に記録指示操作がなされた場合は、管理情報において示される未記録領域としての先頭のアドレス位置に記録ヘッドを移送する制御手段を設け、記録媒体への記録動作を開始できるようにしているため、記録終端サーチ操作手段の操作後に記録操作がなされた場合はそれまで記録されていたトラックデータを消さずに未記録領域に記録していくようにし、通常の記録操作の場合は、その時点のアドレスから記録していくよう、ユーザーが２通りの記録方式を選択できるようになるという効果がある。
【０１０９】
また制御手段は、記録終端サーチ操作手段が操作された際に再生指示操作がなされた場合は、直前に記録されたトラックの終端アドレスへ再生ヘッドをアクセスさせるようにしている。またそのトラックの終端で再生一時停止とし、さらにレビューサーチ操作に応じてトラック終端から前方に高速再生を実行させるようにしている。このため、記録終端部分（最終トラックのエンドアドレス近辺）を再生させて確認することなどが容易にしかも迅速に行なうことができるようになるという効果がある。
【図面の簡単な説明】
【図１】本発明の実施例の記録再生装置の平面図、正面図、右側面図、及び左側面図である。
【図２】実施例の記録再生装置の要部のブロック図である。
【図３】ディスク上の記録形態の説明図である。
【図４】ディスク上のセクター形態の説明図である。
【図５】ディスクのエリア構造の説明図である。
【図６】ディスクにおけるＰ−ＴＯＣセクターの説明図である。
【図７】ディスクにおけるＵ−ＴＯＣセクターの説明図である。
【図８】ディスクにおけるＵ−ＴＯＣセクターのリンク構造の説明図である。
【図９】Ｕ−ＴＯＣによるフリーエリアの管理形態の説明図である。
【図１０】実施例のエンドサーチキー操作に基づく処理のフローチャートである。
【図１１】実施例のエンドサーチキー操作に基づく動作の説明図である。
【図１２】実施例のエンドサーチキー操作に基づく動作の説明図である。
【図１３】実施例のエンドサーチキー操作に基づく動作の説明図である。
【図１４】実施例のエンドサーチキー操作に基づく動作の説明図である。
【図１５】実施例のエンドサーチキー操作に基づく動作の説明図である。
【図１６】実施例のエンドサーチキー操作に基づく動作の説明図である。
【符号の説明】
１  ディスク、３  光学ヘッド、８  エンコーダ／デコーダ部、１１  システムコントローラ、１２  メモリコントローラ、１３  バッファＲＡＭ、１４  エンコーダ／デコーダ部、１５  Ｄ／Ａ変換器、１８  Ａ／Ｄ変換器、１９  キー入力部、３０  記録再生装置本体、３１  表示部、３３  録音スイッチ、３６  再生キー、３８  停止キー、３９  ＡＭＳキー、４０  サーチキー、４６  エンドサーチキー
【図１】
0003541785.tif 000002
【図２】
0003541785.tif 000003
【図３】
0003541785.tif 000004
【図４】
0003541785.tif 000005
【図５】
0003541785.tif 000006
【図６】
0003541785.tif 000007
【図７】
0003541785.tif 000008
【図８】
0003541785.tif 000009
【図９】
0003541785.tif 000010
【図１０】
0003541785.tif 000011
【図１１】
0003541785.tif 000012
【図１２】
0003541785.tif 000013
【図１３】
0003541785.tif 000014
【図１４】
0003541785.tif 000015
【図１５】
0003541785.tif 000016
【図１６】
0003541785.tif 000017